(57)【特許請求の範囲】
【請求項１】
施術者の眼鏡のフロントフレームに装着する眼鏡装着型術野カメラであって、
眼鏡のフロントフレームに取り付けられる取付部と、
該取付部の前方側に設けられる支持部と、
該支持部の前方側に設けられる撮像部とを備え、
前記取付部、前記支持部、および前記撮像部は、眼鏡のフロントフレームから眼鏡の前方にかけて直列的に配置され、
前記支持部は、前記取付部が後方側に設けられた支持部本体と、該支持部本体の前方側に設けられ、前記撮像部を前方側で支持する支持アームとを備え、該支持アームが支持部本体に対して水平方向に回転可能となされていることを特徴とする眼鏡装着型術野カメラ。
【請求項２】
前記取付部は、眼鏡のフロントフレームの上部中央に取り付けられる請求項１に記載の眼鏡装着型術野カメラ。
【請求項３】
施術者の眼鏡のフロントフレームに装着する眼鏡装着型術野カメラであって、
眼鏡のフロントフレームに取り付けられる取付部と、
該取付部の前方側に設けられる支持部と、
該支持部の前方側に設けられる撮像部とを備え、
前記取付部、前記支持部、および前記撮像部は、眼鏡のフロントフレームから眼鏡の前方にかけて直列的に配置され、
前記取付部は、眼鏡のフロントフレームの後方側に配置される第１係止部材と、該第１係止部材と所定間隔をあけて対向する態様で設けられた第２係止部材とを備え、前記第２係止部材が前記第１係止部材に対して近接離間方向に移動可能となされていることを特徴とする眼鏡装着型術野カメラ。
【請求項４】
前記取付部は、後端部が第２係止部材に当接する態様で設けられた略Ｌ字形状の回動部材と、該回動部材の前端部に当接する態様で設けられた押出部材とを備え、該押出部材が前記回動部材の前端部を押し出すことにより前記回動部材全体が前記第２係止部材側に回動することによって、前記第２係止部材が前記回動部材の後端部に押される態様で前記第１係止部材に対して近接方向に移動する請求項３に記載の眼鏡装着型術野カメラ。
【請求項５】
前記支持部は、前方側に前記撮像部の前方を照射する照射部が設けられている請求項１ないし請求項４のいずれかに記載の眼鏡装着型術野カメラ。
【発明の詳細な説明】
【技術分野】
【０００１】
本発明は、医療現場において手術の様子を撮影するための眼鏡装着型術野カメラに関する。
【背景技術】
【０００２】
従来より、医療現場では、主に医学生や現役の医者等の教育のために、優秀な医者やベテランの医者が手術を行っている様子をカメラで撮影し、それを映像にして記録することが行われている。手術は、患者の怪我や病気の状態に応じてなされ、任意のタイミングで医学生等に見せることができないからであり、また、各手術の度に多くの医学生等を立ち会わせることが現実的に難しいからである。このため、このような撮影は手術を行う医者（施術者）以外の者により行われてきた。
【０００３】
ところが、上述のように施術者以外の者が撮影する場合、手術の妨げとならないように、施術者と距離をおいた位置から撮影していた。このことにより、施術者とカメラの間隔が広すぎて、撮影者が撮影した映像は施術者の視線と大きく異なるものであったため、教育のための映像としては不十分なものであった。
【０００４】
そこで、カメラを施術者の頭部に設ける装置が従来より知られている（例えば、下記特許文献１，２参照）。この特許文献１には、施術者の頭部に装着されるヘッドバンドの前方側にレンズユニットが設けられ、該レンズユニットにカメラが設けられている撮像装置付きヘッドライトが開示されている。また、特許文献２には、ヘッドバンド（固定部）の前方側に発光部が設けられ、該発光部にカメラが設けられている照明装置が開示されている。
【先行技術文献】
【特許文献】
【０００５】
【特許文献１】特開２００５−３３４１３１号
【特許文献２】ＷＯ２０１０−００７７８５号
【発明の概要】
【発明が解決しようとする課題】
【０００６】
しかしながら、従来のこれらの装置は、ヘッドバンドがある頭部の位置にカメラが配置されていることから、施術者の眼の位置とカメラの位置との間に１０ｃｍ以上の高低差が空いてしまうため、施術者とカメラの間に大きな視線の差（視差）が生じるという問題があった。医学生等を将来的に優秀な施術者に育成するためにも、施術者とカメラの間において視差が極力少ない状態で手術の様子を撮影することが強く求められているのだが、従来の装置では施術者とカメラの間には無視できない視差が生じていたのである。
【０００７】
本発明は、上述の問題に鑑みてなされたものであって、施術者と同じ視線で手術の様子を撮影することができる眼鏡装着型術野カメラを提供することを目的とする。
【課題を解決するための手段】
【０００８】
本発明は、
施術者の眼鏡のフロントフレームに装着する眼鏡装着型術野カメラであって、
眼鏡のフロントフレームに取り付けられる取付部と、
該取付部の前方側に設けられる支持部と、
該支持部の前方側に設けられる撮像部とを備え、
前記取付部、前記支持部、および前記撮像部は、眼鏡のフロントフレームから眼鏡の前方にかけて直列的に配置され、
前記支持部は、前記取付部が後方側に設けられた支持部本体と、該支持部本体の前方側に設けられ、前記撮像部を前方側で支持する支持アームとを備え、該支持アームが支持部本体に対して水平方向に回転可能となされていることを特徴とする眼鏡装着型術野カメラである。
【０００９】
これによれば、取付部、支持部および撮像部が順に眼鏡のフロントフレームから眼鏡のレンズの前方にかけて直列的に配置されることにより、撮像部が施術者の視線近傍に位置するため、施術者と撮像部の間の視差がほとんどなくなり、施術者と同じ視線で手術の様子を撮影することができる。
【００１０】
また、前記支持部は、前記取付部が後方側に設けられた支持部本体と、該支持部本体の前方側に設けられ、前記撮像部を前方側で支持する支持アームとを備え、該支持アームが支持部本体に対して水平方向に回転可能となされている。これによれば、支持アームが水平方向に回転し得るため、施術者の視線に対して水平に撮影方向を変更することができる。
【００１１】
また、前記取付部は、眼鏡のフロントフレームの上部中央に取り付けられるのが好ましい。これによれば、施術者の眼下の視野を十分確保しながら、施術者と同じ視線で手術の様子を撮影することができる。
【００１３】
本発明は、
施術者の眼鏡のフロントフレームに装着する眼鏡装着型術野カメラであって、
眼鏡のフロントフレームに取り付けられる取付部と、
該取付部の前方側に設けられる支持部と、
該支持部の前方側に設けられる撮像部とを備え、
前記取付部、前記支持部、および前記撮像部は、眼鏡のフロントフレームから眼鏡の前方にかけて直列的に配置され、
前記取付部は、眼鏡のフロントフレームの後方側に配置される第１係止部材と、該第１係止部材と所定間隔をあけて対向する態様で設けられた第２係止部材とを備え、前記第２係止部材が前記第１係止部材に対して近接離間方向に移動可能となされていることを特徴とする眼鏡装着型術野カメラである。
これによれば、所定間隔をあけて対向する第１係止部材と第２係止部材の間に眼鏡のフロントフレームを介在させて第２係止部材を第１係止部材に対して近接離間方向に移動させることにより、眼鏡のフロントフレームに簡単かつ確実に取り付けたりあるいは取り外したりすることができる。
【００１４】
また、前記取付部は、後端部が第２係止部材に当接する態様で設けられた略Ｌ字形状の回動部材と、該回動部材の前端部に当接する態様で設けられた押出部材とを備え、該押出部材が前記回動部材の前端部を押し出すことにより前記回動部材全体が前記第２係止部材側に回動することによって、前記第２係止部材が前記回動部材の後端部に押される態様で前記第１係止部材に対して近接方向に移動するのが好ましい。これによれば、押出部材と回動部材の簡易な構成により、第２係止部材を第１係止部材に対して近接方向に簡単かつ確実に移動させることができる。
【００１５】
また、前記支持部は、前方側に前記撮像部の前方を照射する照射部が設けられているのが好ましい。これによれば、照射部が施術者の視線近傍に位置するため、施術者の視線先の手術箇所を確実に照射することができる。
【発明の効果】
【００１６】
本発明によれば、取付部、支持部および撮像部が順に眼鏡のフロントフレームから眼鏡のレンズの前方にかけて直列的に配置されることにより、撮像部が施術者の視線近傍に位置するため、施術者と撮像部の間の視差がほとんどなくなり、施術者と同じ視線で手術の様子を撮影することができる。このため医学生や現役の医者等を教育するに際して、本眼鏡装着型術野撮像部によって撮影した映像を効果的に活用することが可能となる。
【図面の簡単な説明】
【００１７】
【図１】第１実施形態の眼鏡装着型術野カメラを示す斜視図である。
【図２】図１の眼鏡装着型術野カメラの一部を断面で示す左側面図である。
【図３】図１の眼鏡装着型術野カメラの一部を断面で示す平面図である。
【図４】図３のIV−IV線断面矢視図である。
【図５】第２実施形態の眼鏡装着型術野カメラの一部を断面で示す左側面図である。
【発明を実施するための形態】
【００１８】
＜第１実施形態＞
次に、本発明に係る眼鏡装着型術野カメラの第１実施形態について図１〜図４を参照しつつ説明する。  
【００１９】
本実施形態の眼鏡装着型術野カメラ（以下、本カメラという）１は、図１に示すように、施術者の眼鏡Ｇのフロントフレームに装着するものであって、眼鏡ＧのフロントフレームＦに取り付けられる取付部１０と、該取付部１０の前方側に設けられる支持部２０と、該支持部２０の前方側に設けられる撮像部３０とを備えている。
【００２０】
なお、本実施形態に用いられる眼鏡Ｇは、施術者の左右の眼前に配置された左右一対のレンズＬｅと、該レンズＬｅの各々を保持するフロントフレームＦとを備え、該フロントフレームＦは各レンズＬｅを保持する左右一対のレンズ枠Ｆ１と、各レンズ枠Ｆ１の両上部間を連結するブリッジＦ２とからなる。レンズＬｅには、双眼ルーペＬｕが設けられる。
【００２１】
前記取付部１０は、図２に示すように、眼鏡ＧのブリッジＦ２に係止する係止部１１と、該係止部１１を眼鏡ＧのブリッジＦ２に係止させる取付操作部１２とを備えている。
【００２２】
前記係止部１１は、ブリッジＦ２の後方側に配置される後側係止部材（第１係止部材）１１１と、該後側係止部材１１１の前方側で対向する態様で設けられた前側係止部材（第２係止部材）１１２と、後側係止部材１１１および前側係止部材１１２を被覆するシリコンシート１１３とを備えている。
【００２３】
前記後側係止部材１１１は、後述する支持部２０の上側支持部材２１１の後側端部から下方に向かって設けられた板状部材である。前記前側係止部材１１２は、後側係止部材１１１と眼鏡ＧのブリッジＦ２を介在させ得る間隔をあけて対向しており、上端部が上側支持部材２１１から離れた状態となされた板状部材である。
【００２４】
前記シリコンシート１１３は、後側係止部材１１１の後面の上端部から下端部を経由して後側係止部材１１１の前面を被覆している。そして、上側支持部材２１１の下面を経由した後、前側係止部材１１２の後面の上端部から下端部を経由して前側係止部材１１２の前面を被覆し、さらに上側支持部材２１１の下面を被覆している。これにより、前側係止部材１１２の上端部が上側支持部材２１１から下方側に離れた状態で保持されているため、前側係止部材１１２が後側係止部材１１１に対して近接離間方向に移動可能となされている。
【００２５】
前記取付操作部１２は、図２に示すように、前側係止部材１１２の前方側に設けられた略Ｌ字形状の回動部材１２１と、該回動部材１２１の上方側に設けられた押出部材１２２とを備えている。
【００２６】
前記回動部材１２１は、本カメラ１の幅方向（左右方向）に回動軸１２１ａを有し、該回動軸１２１ａの後方側に延びる後端部１２１ｂが前述した前側係止部材１１２の前面に当接する態様で設けられ、回動軸１２１ａの前方側に向かって前端部１２１ｃが延びている。
【００２７】
前記押出部材１２２は、後述する支持部２０の上側支持部材２１１を上方側から貫通する態様で上側支持部材２１と螺着しており、先端部１２２ａが回動部材１２１における前端部１２１ｃの上部に当接する態様で設けられている。このため、押出部材１２２は、軸回転することによって上側支持部材２１と螺着しながら下方側に向かって移動して、先端部１２２ａが回動部材１２１の前端部１２１ｃを下方に押し出す。
【００２８】
而して、上述の取付部１０では、後側係止部材１１１と前側係止部材１１２の間に眼鏡ＧのブリッジＦ２を嵌め込んだ後、押出部材１２２を軸回転させる。すると、押出部材１２２の先端部１２２ａが回動部材１２１の前端部１２１ｃを下方側に押し出して、回動部材１２１全体が後方側に回動する。このことにより、該回動部材１２１の後端部１２１ｂが前側係止部材１１２を後方に押すため、前側係止部材１１２が後側係止部材１１１に対して近接方向に移動する。これにより、後側係止部材１１１と前側係止部材１１２の間にある眼鏡ＧのブリッジＦ２が狭持されるため、眼鏡ＧのフロントフレームＦに簡単かつ確実に取り付けることができる。
【００２９】
一方、押出部材１２２を逆方向に軸回転させると、押出部材１２２の先端部１２２ａが回動部材１２１の前端部１２１ｃから離れる方向に移動する。すると、回動部材１２１の後端部１２１ｂが前側係止部材１１２を押す力が弱まるため、次第に前側係止部材１１２が後側係止部材１１１に対して離間方向に移動する。これにより、眼鏡ＧのブリッジＦ２の狭持が解除されるため、眼鏡ＧのフロントフレームＦに簡単かつ確実に取り外すことができる。
【００３０】
前記支持部２０は、図２に示すように、取付部１０が後方側に設けられた支持部本体２１と、該支持部本体２１から前方側に突出する態様で設けられた支持アーム２２と、該支持アーム２２の基端部の近傍に設けられた水平回転機構部２３とを備えている。
【００３１】
前記支持部本体２１は、図４に示すように、上側に配置された上側支持部材２１１と、下側に配置された下側支持部材２１２と、上側支持部材２１１および下側支持部材２１２を連結する垂直回転機構部２１３とを備えている。
【００３２】
前記上側支持部材２１１は、上面部２１１ａと、該上面部２１１ａの左右両端部からそれぞれ下方に延びる一対の内側壁部２１１ｂとを備えている。上面部２１１ａは、後側端部に取付部１０の後側係止部材１１１が設けられている（図２参照）。また、内側壁部２１１ｂは、互いに対向する位置に螺子孔が形成されており、該螺子孔は後述する雄螺子２１３ａを螺着可能に形成されている。
【００３３】
前記下側支持部材２１２は、下面部２１２ａと、該下面部２１２ａの左右両端部からそれぞれ上方に延びる一対の外側壁部２１２ｂとを備えている。下面部２１２ａは中央部に貫通孔が形成されており、該貫通孔により後述する支持アーム２２の回転軸２２ａを軸支する。また、外側壁部２１２ｂは、内面側を内側壁部２１１ｂと当接させながら対向しており、内側壁部２１１ｂの螺子孔と一致する位置に螺子孔が形成されている。このため、上側支持部材２１１と下側支持部材２１２では、各螺子孔が左右方向に同一直線上に配置されている。
【００３４】
前記垂直回転機構部２１３は、上側支持部材２１１および下側支持部材２１２の左右の螺子孔に設けられた一対の雄螺子２１３ａおよび雌螺子２１３ｂと、左右の雌螺子２１３ｂ間に設けられたコイルバネ２１３ｃとを備えている。
【００３５】
前記雄螺子２１３ａは、内側壁部２１１ｂおよび外側壁部２１２ｂの螺子孔に外側から挿通しており、前記雌螺子２１３ｂは、内側壁部２１１ｂの内側で雄螺子２１３ａと螺着している。そして、左右の両雄螺子２１３ａが同一直線上に配置されているため、両雄螺子２１３ａを回転軸として、下側支持部材２１２が上側支持部材２１１に対して垂直方向に回転可能となされている。
【００３６】
前記コイルバネ２１３ｃは、両雌螺子２１３ｂ間において左右方向（水平方向）に延在しており、両雌螺子２１３ｂに対して外側方向に付勢力が生じる態様で設けられている。該付勢力によって、雌螺子２１３ｂが内側壁部２１１の内面に押しつけられた状態で当接するため、雌螺子２１３ｂは回転できない状態となされている。これにより、雄螺子２１３ａが軸回転すると、雄螺子２１３ａと雌螺子２１３ｂが螺着していく。
【００３７】
而して、上述の支持部本体２１では、例えば右側の雄螺子２１３ａを軸回転させた場合、雄螺子２１３ａが雌螺子２１３ｂに螺着していき、雄螺子２１３ａの頭部と雌螺子２１３ｂの間隔が狭まっていく。すると、雄螺子２１３ａの頭部と雌螺子２１３ｂの間に位置する内側壁部２１１ｂと外側壁部２１２ｂが締め付けられて（図４参照）、内側壁部２１１ｂと外側壁部２１２ｂ間に抵抗が生じる。これにより、下側支持部材２１２が上側支持部材２１１に対して動きにくくなるため、上側支持部材２１１に対する下側支持部材２１２の垂直方向における回転を固定することができる。
【００３８】
一方、雄螺子２１３ａを逆方向に軸回転させた場合、雄螺子２１３ａの頭部と雌螺子２１３ｂの間隔が広がっていく。すると、内側壁部２１１ｂと外側壁部２１２ｂにおける締め付けが弱まり、上側支持部材２１１および下側支持部材２１２間の抵抗が消失していく。これにより、下側支持部材２１２が上側支持部材２１１に対して動きやすくなるため、上側支持部材２１１に対する下側支持部材２１２の垂直方向への回転が可能になる。
【００３９】
なお、上述では右側の雄螺子２１３ａを軸回転させる場合について説明したが、左側の雄螺子２１３ａであっても同様である。
【００４０】
前記支持アーム２２は、図２に示すように、支持部本体２１の前方側に突出する態様で設けられている。この支持アーム２２は、支持部本体２１の下側支持部材２１２から前方側に向かって延びる第１支持アーム片２２１と、該第１支持アーム片２２１の先端部から下方に向かって延びる第２支持アーム片２２２と、該第２支持アーム片の先端部から前斜め下方に向かって延びる第３支持アーム片２２３とを備え、図３に示すように、全体として前方に向かって突出している。
【００４１】
また、この支持アーム２２は、第１支持アーム片２２１の下側に下側支持部材２１２の下面部２１２ａを垂直方向に貫通する回転軸２２ａを備えており、支持部本体２１の下側支持部材２１２に対して水平方向に回動可能となされている。また、下側支持部材２１２が上側支持部材２１１に対して垂直方向に回転可能であるため、これに伴って支持アーム２２は垂直方向に回転可能となされている。
【００４２】
また、支持アーム２２は、第３支持アーム片２２３に後述する撮像部３０を固定するための固定金具２２ｂが設けられているため、撮像部３０のカメラ本体３１を眼鏡ＧのレンズＬｅの前方側で支持することができる。したがって、支持アーム２２が水平方向に回転することにより、施術者の視線に対して水平に撮影方向を変更することができる。また、支持アーム２２が垂直方向に回転することにより、施術者の視線に対して垂直に撮影方向を変更することができる。
【００４３】
また、上述した支持アーム２２の回転軸２２ａは、垂直方向に中空となされており、内壁面には螺子溝が形成されている。これにより、後述する水平回転機構部２３の雄螺子２３１と螺着することができる。
【００４４】
前記水平回転機構部２３は、図２に示すように、支持アーム２２の回転軸２２ａと螺着する雄螺子２３１と、下側支持部材２１２の下面部２１２ａと雄螺子２３１の頭部の間において雄螺子２３１を挿通させる態様で設けられたコイルバネ２３２とを備えている。前記雄螺子２３１は、軸回転することによって、支持アーム２２の回転軸２２ａと螺着しながら回転軸２２ａ側に沿って上下に移動する。
【００４５】
而して、上述の水平回転機構部２３では、雄螺子２３１を軸回転させて上方側に移動させると、下側支持部材２１２の下面部２１２ａと雄螺子２３１の頭部の間が狭まっていく。すると、コイルバネ２３２には下側支持部材２１２の下面部２１２ａと雄螺子２３１の頭部とを引き離す方向に付勢力が生じ、該付勢力によって支持アーム２２の回転軸２２ａが雄螺子２３１側に向かって引っ張られる。これにより、支持アーム２２と下側支持部材２１２における接触部分において抵抗が生じる。したがって、支持アーム２２が下側支持部材２１２に対して動きにくくなるため、下側支持部材２１２に対する支持アーム２２の水平方向における回転を固定することができる。
【００４６】
一方、雄螺子２３１を逆方向に軸回転させて下方側に移動させると、下側支持部材２１２の下面部２１２ａと雄螺子２３１の頭部の間が広がっていく。すると、コイルバネ２３２に生じていた付勢力が弱まるため、支持アーム２２および下側支持部材２１２間の抵抗が消失していく。これにより、支持アーム２２が下側支持部材２１２に対して動きやすくなるため、下側支持部材２１２に対する支持アーム２２の水平方向への回転が可能になる。
【００４７】
前記撮像部３０は、図２および図３に示すように、支持部２０の前方側に設けられており、カメラ本体３１と、該カメラ本体３１で撮影した映像データを図示略の録画装置（ビデオデッキ等）や表示装置（モニタ等）等に出力可能にする出力端子３２と、該出力端子３２からの映像データを録画装置等に送信する出力ライン３３とを備えている。カメラ本体３１が、支持部２０の支持アーム２２に設けられた固定金具２２ｂによって前方側を撮影する態様で固定されている。
【００４８】
以上のように構成された本カメラ１は、図２および図３に示すように、取付部１０、支持部２０および撮像部３０が順に眼鏡ＧのフロントフレームＦにおけるブリッジＦ２から眼鏡ＧのレンズＬｅの前方にかけて直列的に配置されている。このことにより、撮像部３０が施術者の視線近傍に位置するため、施術者と撮像部３０の間の視差がほとんどなくなり、施術者と同じ視線で手術の様子を撮影することができる。
【００４９】
また、図１に示すように、本カメラ１が眼鏡ＧのブリッジＦ２に取り付けられているため、施術者の眼下の視野を十分確保しながら、施術者と同じ視線で手術の様子を撮影することができる。
【００５０】
なお、本実施形態では、取付部１０が眼鏡ＧのブリッジＦ２に取り付けられる場合について説明したが、眼鏡Ｇのレンズ枠Ｆ１に取り付けられてもよい。
【００５１】
また、支持アーム２２が水平方向および垂直方向に回転可能に設けられる場合について説明したが、いずれかの方向にのみ回転可能であってもよいし、いずれの方向にも回転しないものでもよい。
【００５２】
また、前側係止部材１１２が押出部材１２２の軸回転により回動部材１２１が回動することによって後側係止部材１１１に対して近接離間方向に移動可能となされる場合について説明したが、その他の機構で前側係止部材１１２が後側係止部材１１１に対して近接離間方向に移動可能となされていてもよい。
【００５３】
また、取付部１０がシリコンシート１１３を備える場合について説明したが、備えていなくてもよい。
【００５４】
＜第２実施形態＞
次に、本発明に係る眼鏡装着型術野カメラの第２実施形態について図５を参照しつつ説明する。
【００５５】
なお、以下では、上記実施形態と異なる構成について説明することとし、同一の構成については同一の符号を付し、その説明を省略する。
【００５６】
本実施形態の眼鏡装着型術野カメラ２は、図５に示すように、支持部２０から前方側に突出する支持アーム２２の先端側に照明部４０を備えており、該照明部４０の前方側上部に撮像部３０が設けられている。ここでの支持アーム２２は、支持部本体２１の下側支持部材２１２から前方側に向かって延びる第１支持アーム片２２１と、該第１支持アーム片２２１の前方側の先端部から前斜め下方に向かって延びる第３支持アーム片２２３とを備え、全体として前方に向かって突出している。
【００５７】
前記照明部４０は、支持アーム２２の第３支持アーム片２２３の下側に固定されており、図示略の電源を入れることによって前方側を照射する。また、前方側の上部に撮像部３０を固定するための固定金具４０ａを備えており、該固定金具４０ａによりカメラ本体３１が前方側を撮影し得る態様で撮像部３０を支持している。
【００５８】
このように、本眼鏡装着型術野カメラ２は、取付部１０、支持部２０、照明部４０および撮像部３０が眼鏡ＧのフロントフレームＦにおけるブリッジＦ２から眼鏡Ｇの前方側に向かう態様で直列的に配置されている。このことより、施術者と同じ視線で手術の様子を撮影することができるとともに、照射部４０が施術者の視線近傍に位置するため、施術者の視線先の手術箇所を確実に照射することができる。
【００５９】
なお、本実施形態では、照明部４０が支持アーム２２の第３支持アーム片２２３の下側に備えられている場合について説明したが、支持アーム２２の上側であってもよい。この場合、撮像部３０を下側に備える。
【００６０】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６１】
１，２…眼鏡装着型術野カメラ
１０…取付部
１１…係止部
１１１…後側係止部材
１１２…前側係止部材
１１３…シリコンシート
１２…取付操作部
１２１…回動部材
１２１ａ…回動軸
１２１ｂ…後端部
１２１ｃ…前端部
１２２…押出部材
１２２ａ…先端部
２０…支持部
２１…支持部本体
２１１…上側支持部材
２１１ａ…上面部
２１１ｂ…内側壁部
２１２…下側支持部材
２１２ａ…下面部
２１２ｂ…外側壁部
２１３…垂直回転機構部
２１３ａ…雄螺子
２１３ｂ…雌螺子
２１３ｃ…コイルバネ
２２…支持アーム
２２１…第１支持アーム片
２２２…第２支持アーム片
２２３…第３支持アーム片
２２ａ…回転軸
２２ｂ…固定金具
２３…水平回動機構部
２３１…雄螺子
２３２…コイルバネ
３０…撮像部
３１…カメラ本体
３２…出力端子
３３…出力ライン
４０…照明部
４０ａ…固定金具
【図１】
0005872367.tif 000002
【図２】
0005872367.tif 000003
【図３】
0005872367.tif 000004
【図４】
0005872367.tif 000005
【図５】
0005872367.tif 000006